(57)【要約】【課題】  ディスプレーへの取り付け、及びディスプレーからの取り外しを極めて容易に行うことができるディスプレー用保護プレートの固定装置を提供する。【解決手段】  本考案は、フレーム外枠（２）に固設され、その上側にフレーム外枠（２）に固設される結合部（１１）が設けられると共に、下側にＬ字形の挟設部（１２）が設けられる支持座（１Ｂ）と、フレーム外枠（２）に固設され、一側に貼着部（１３）、他側にガイドロッド（１９）及びガイドロッド（１９）の両側に形成されるスリット（１４）を有するＬ字形を呈する固定座（１０Ａ）と、上側に掛止部（１５）が設けられ、掛止部（１５）の底部両側にそれぞれ係合部（１６）が設けられると共に、係合部（１６）の間にガイド溝（１８）が形成されるＪ字形の掛止座（１０Ｂ）とからなる着脱式掛止部材（１Ａ）と、から構成されることを特徴とする。【選択図】  図１
0003124299.tif 000002
【実用新案登録請求の範囲】
【請求項１】
ディスプレーのフレーム外枠上に固設されるディスプレー用保護プレートの固定装置であって、
ディスプレーの下方におけるフレーム外枠に固設され、その上側にディスプレーのフレーム外枠に固設される結合部が設けられると共に、下側に保護プレートを支持するためのＬ字形の挟設部が設けられる支持座と、
ディスプレーの上方のフレーム外枠における、前記支持座と対応する位置に固設され、一側に貼着部、他側にガイドロッド及び該ガイドロッドの両側に形成されるスリットを有するＬ字形を呈する固定座と、上側に掛止部が設けられ、該掛止部の底部両側にそれぞれ下方へ延出する前記スリットと対応する係合部が設けられると共に、該係合部の間に前記ガイドロッドと対応するガイド溝が形成されるＪ字形の掛止座とからなる着脱式掛止部材と、から構成されることを特徴とするディスプレー用保護プレートの固定装置。
【請求項２】
前記結合部と貼着部はＬ字形体であり、該Ｌ字形体の内側がディスプレーのフレーム外枠に固設されることを特徴とする請求項１に記載のディスプレー用保護プレートの固定装置。
【請求項３】
前記結合部と貼着部はＩ字形体であり、該Ｉ字形体の一側がディスプレーのフレーム外枠に固設されることを特徴とする請求項１に記載のディスプレー用保護プレートの固定装置。
【請求項４】
前記支持座における挟設部と着脱式掛止部材における掛止部の一側にそれぞれ当接プレートが設けられることを特徴とする請求項１、２又は３に記載のディスプレー用保護プレートの固定装置。
【考案の詳細な説明】
【技術分野】
【０００１】
本考案は特にディスプレー用保護プレートをディスプレー上に設置するための固定装置に関するものである。
【背景技術】
【０００２】
一般に陰極線管表示装置（ＣＲＴ）から放射される放射線は、人体に影響を及ぼすと言われていることから、放射線を遮断するために、多くの人がディスプレー上にディスプレー用保護プレートを設けている。また、近年では、より薄く、より軽く且つ低放射線の特徴を有する液晶表示装置がコンピュータやテレビ用としてＣＲＴに代わって用いられるようになってきた。
【考案の開示】
【考案が解決しようとする課題】
【０００３】
しかしながら、液晶表示装置の表面は、ＣＲＴの表面のように硬くはないので、不注意によりディスプレーの表面に接触してしまうと、ディスプレーを傷つけて画質に悪影響を与えてしまうことがあった。更に、若しディスプレー上に塵埃やタバコのヤニなどの油成分がこびりついてしまうと、一般の家庭用洗剤で洗浄することができないので、メーカーや使用者は通常、ディスプレー上に保護プレートを設けることにより、塵埃やタバコのヤニなどからディスプレーを守っている。しかし、保護プレートの多くは、接着方式によりディスプレーに直接に貼り付けられるため、保護プレートを洗浄する時、或いはディスプレーを交換する時、保護プレートの取り外しが非常に不便である。
【課題を解決するための手段】
【０００４】
本考案に係る請求項１は、ディスプレーのフレーム外枠（２）上に固設されるディスプレー用保護プレートの固定装置であって、
ディスプレーの下方におけるフレーム外枠（２）に固設され、その上側にディスプレーのフレーム外枠（２）に固設される結合部（１１）が設けられると共に、下側に保護プレート（３）を支持するためのＬ字形の挟設部（１２）が設けられる支持座（１Ｂ）と、
ディスプレーの上方のフレーム外枠（２）における、前記支持座（１Ｂ）と対応する位置に固設され、一側に貼着部（１３）、他側にガイドロッド（１９）及び該ガイドロッド（１９）の両側に形成されるスリット（１４）を有するＬ字形を呈する固定座（１０Ａ）と、上側に掛止部（１５）が設けられ、該掛止部（１５）の底部両側にそれぞれ下方へ延出する前記スリット（１４）と対応する係合部（１６）が設けられると共に、該係合部（１６）の間に前記ガイドロッド（１９）と対応するガイド溝（１８）が形成されるＪ字形の掛止座（１０Ｂ）とからなる着脱式掛止部材（１Ａ）と、から構成されることを特徴とするディスプレー用保護プレートの固定装置を提供するものであり、
本考案に係る請求項２は、前記結合部（１１）と貼着部（１３）はＬ字形体であり、該Ｌ字形体の内側がディスプレーのフレーム外枠（２）に固設されることを特徴とする請求項１に記載のディスプレー用保護プレートの固定装置を提供するものであり、
本考案に係る請求項３は、前記結合部（１１）と貼着部（１３）はＩ字形体であり、該Ｉ字形体の一側がディスプレーのフレーム外枠（２）に固設されることを特徴とする請求項１に記載のディスプレー用保護プレートの固定装置を提供するものであり、
本考案に係る請求項４は、前記支持座（１Ｂ）における挟設部（１２）と着脱式掛止部材（１Ａ）における掛止部（１５）の一側にそれぞれ当接プレート（１７）が設けられることを特徴とする請求項１、２又は３に記載のディスプレー用保護プレートの固定装置を提供するものである。
【考案の効果】
【０００５】
本考案は上記の課題を解決するものであり、ディスプレーのフレーム外枠上に固設されるディスプレー用保護プレートの固定装置であって、ディスプレーの下方におけるフレーム外枠に固設され、その上側にディスプレーのフレーム外枠に固設される結合部が設けられると共に、下側に保護プレートを支持するためのＬ字形の挟設部が設けられる支持座と、ディスプレーの上方のフレーム外枠における、前記支持座と対応する位置に固設され、一側に貼着部、他側にガイドロッド及び該ガイドロッドの両側に形成されるスリットを有するＬ字形を呈する固定座と、上側に掛止部が設けられ、該掛止部の底部両側にそれぞれ下方へ延出する前記スリットと対応する係合部が設けられると共に、該係合部の間に前記ガイドロッドと対応するガイド溝が形成されるＪ字形の掛止座とからなる着脱式掛止部材と、から構成され、また、前記支持座における結合部と着脱式掛止部材の貼着部がディスプレーのフレーム外枠に固設され、該支持座の挟設部にディスプレー用保護プレートが設置されると共に、着脱式掛止部材の固定座と掛止座とが結合し合うことにより、該保護プレートが支持座の挟設部と着脱式掛止部材における掛止座の掛止部との間に固設される構成であることから、保護プレートを取り外す時は、単に着脱式掛止部材の掛止座を貼着部から引き抜けば、支持座の挟設部から簡単に取り外すことができる。このように、本考案の構成によれば、ディスプレー上に保護プレートを自由に着脱できるので、保護プレートの洗浄や他のディスプレーへの使用が交換が極めて容易となる。
【考案を実施するための最良の形態】
【０００６】
以下、添付図面を参照して本考案の好適な実施の形態を詳細に説明する。
【実施例】
【０００７】
図１は本考案に係るディスプレー用保護プレートの固定装置の分解斜視図であり、図２は本考案に係るディスプレー用保護プレートの固定装置の使用状態を示す斜視図であり、図３は本考案に係るディスプレー用保護プレートの固定装置の使用状態を示す側面断面図であり、図４は本考案に係るディスプレー用保護プレートの固定装置の他の実施例を示す分解斜視図であり、図５は本考案に係るディスプレー用保護プレートの固定装置の更に他の実施例を示す分解斜視図である。
【０００８】
図１及び図２に示すように、本考案のディスプレー用保護プレート（３）の固定装置は、テレビやコンピュータなどのディスプレーにおけるフレーム外枠（２）に固設されるものであり、ディスプレーの下方におけるフレーム外枠（２）に固設され、その上側にディスプレーのフレーム外枠（２）に固設される結合部（１１）が縦方向に設けられると共に、該結合部（１１）の下側に保護プレート（３）を支持するためのＬ字形の挟設部（１２）が設けられる支持座（１Ｂ）と、
ディスプレーの上方のフレーム外枠（２）における、前記支持座（１Ｂ）と対応する位置に固設され、一側に貼着部（１３）、他側にガイドロッド（１９）及び該ガイドロッド（１９）の両側に形成されるスリット（１４）を有するＬ字形を呈する固定座（１０Ａ）と、上側に掛止部（１５）が設けられ、該掛止部（１５）の底部両側にそれぞれ下方へ延出する前記スリット（１４）と対応する係合部（１６）が設けられると共に、該係合部（１６）の間に前記ガイドロッド（１９）と対応するガイド溝（１８）が形成されるＪ字形の掛止座（１０Ｂ）とからなる着脱式掛止部材（１Ａ）と、から構成され、このような構成から、該掛止部（１５）の一端をスリット（１４）に挿入する時は、ディスプレーにおけるフレーム外枠（２）と貼着部（１３）との間に挿入することになる。尚、前記結合部（１１）とディスプレーのフレーム外枠（２）、及び貼着部（１３）とフレーム外枠（２）との結合には、両面テープや接着剤などを用いる。
【０００９】
図３に示すように、結合部（１１）と貼着部（１３）はＬ字形体であり、それらの内側はディスプレーのフレーム外枠（２）に固設される。
【００１０】
また、本考案では、他の実施例である図４に示すように、支持座の結合部（１１）及び固定座の貼着部（１３）をＩ字形体にし、それらの一側をディスプレーのフレーム外枠（２）に固設する構成であってもよい。
【００１１】
また、本考案では、更に他の実施例である図５に示すように、支持座の挟設部（１２）及び着脱式掛止部材の掛止部における一側にそれぞれ当接プレート（１７）を設け、保護プレートを位置決めすることにより、設置時の安定性を向上させてもよい。
【００１２】
上述したように、本考案の構成によれば、ディスプレー上に保護プレートを自由に着脱できるので、保護プレートの洗浄や他のディスプレーへの使用が交換が極めて容易となる。
【図面の簡単な説明】
【００１３】
【図１】本考案に係るディスプレー用保護プレートの固定装置の分解斜視図である。
【図２】本考案に係るディスプレー用保護プレートの固定装置の使用状態を示す斜視図である。
【図３】本考案に係るディスプレー用保護プレートの固定装置の使用状態を示す側面断面図である。
【図４】本考案に係るディスプレー用保護プレートの固定装置の他の実施例を示す分解斜視図である。
【図５】本考案に係るディスプレー用保護プレートの固定装置の更に他の実施例を示す分解斜視図である。
【符号の説明】
【００１４】
１Ａ        着脱式掛止部材
１Ｂ        支持座
１０Ａ      固定座
１０Ｂ      掛止座
１１        結合部
１２        挟設部
１３        貼着部
１４        スリット
１５        掛止部
１６        係合部
１７        当接プレート
１８        ガイド溝
１９        ガイドブロック
２          フレーム外枠
３          保護プレート
【図１】
0003124299.tif 000003
【図２】
0003124299.tif 000004
【図３】
0003124299.tif 000005
【図４】
0003124299.tif 000006
【図５】
0003124299.tif 000007